(57)【要約】      （修正有）【課題】諸貨物の移動運搬を目的に流通している荷役用パレットについて、工場等に於いての積み込み時や到着した貨物の処理時に於いて、工場の作業員が個々の職場で手積みしたり、荷ほどきしたりする場合が多いので、該荷役用パレットを場内での運搬機材によらずに手作業として向きを変えたり、少しずつ移動したりする。【解決手段】複数の移動用のキャスターで支えられる目的の荷役用パレット１の角隅部の下面側に垂直軸支部を有するキャスターおよび平板状の支持座を有するキャスターのどちらも装着可能な支持面２部を設け、該支持面２部のやや中央に垂直軸支型のキャスターの垂直軸支部を嵌合するための軸支穴５を垂直に設けると共に、加えて該支持面２部の複数の隅辺部に平板状の支持座を有する複数の移動用キャスターの支持座を挿入、着脱する側溝３部と下方への離脱を防止する突起４部を設ける。【選択図】図１
2014111471.tif 000002
【特許請求の範囲】
【請求項１】
諸貨物運搬に用いる運搬用パレットに、垂直軸支部を有する複数の移動用キャスターを装備するに当たり、運搬用パレットの角隅部に複数の移動用キャスターの支持面を設け、その中央の適宜な位置にキャスターの垂直軸支部を嵌合するための軸支穴を垂直に設けてなる形状を特徴とする運搬用パレット
【請求項２】
諸貨物運搬に用いる運搬用パレットに、平板状の支持座を有する複数の移動用キャスターを装備するに当たり、運搬用パレットの門隅部に複数の移動用キャスターの支持面を設け、該支持面の適宜な位置の複数辺に平板状の支障座を上下方向に支持するための支持溝を設けてなる形状を特徴とする運搬用パレット
【請求項３】
貨物の重量の複数の移動用キャスターへの分散、および移動走行時の走路の凹凸による変動荷重に耐えうる能力を有し、かつ釘鋲で締結することなく請求項２支持溝部に装着可能な平板状の支持座を有することを特徴とする荷役用キャスター。
【発明の詳細な説明】
【技術分野】
【０００１】  本発明は貨物の輸送運搬、工場内での移動および載貨管理に用いる荷役用パレットに関わる。
【背景技術】
【０００２】  諸貨物の移動運搬を目的に流通している荷役用パレットについて、工場等に於いての積み込み時や到着した貨物の処理時に於いて、工場の作業員が個々の職場で手積みしたり、荷ほどきしたりする場合が多くいので、該荷役用パレットを場内での運搬機材によらずに手作業として向きを変えたり、少しずつ移動したりすることが行いたいと云う要望が間々生じている。【０００３】  従来場内で軽量小物を載貨した荷役用パレットの移動はフォークリフト等で行われていて通路の狭い職場では作業員は局地的移動動作を余儀なくされ、短距離と云えども手作業での移動運搬を繰り返すと云う無駄な作業を伴っていた。
このような状況を解決するには載貨された荷役用パレットが、職場の狭い通路を通って作業位置近くに、作業員の手で移動できることが理想であった。
【発明の開示】
【発明が解決しようとする課題】
【０００４】  従来のＪＩＳ規格等の荷役用パレットの局地的移動動作可能にするための手段として移動荷役用の走行具であるキャスターが着脱可能な荷役用パレットを提供する必要があると考えられる。【０００５】  荷役用の走行具であるキャスターは荷役用パレットの形状に合わせて複数の装着が必要である。この複数のキャスターには固定型と旋回自在型があり、その組み合わせは自由である。更にキャスターにはブレーキおよび旋回ロック付等が有るので適宜に組み合わせて採用する必要がある。
【課題を解決するための手段】
【０００６】  複数の移動用のキャスターで支えられる目的の荷役用パレットの角隅部の下面側に垂直軸支部を有するキャスターおよび平板状の支持座を有するキャスターのどちらも装着可能な支持面部を設け、該支持面部のやや中央に垂直軸支型のキャスターの垂直軸支部を嵌合するための軸支穴を垂直に設けると共に、加えて該支持面部の複数の隅辺部に平板状の支持座を有する複数の移動用キャスターの支持座を挿入、着脱する側溝部と下方への離脱を防止する突起部を設けることにより目的の課題は解決する。図面（図１）参照【０００７】  前項の構成において、移動用のキャスターには上下方向の部位ごとに固有の異なる旋回半径が必要であるので、移動用のキャスターの構造形状に倣って支持面部の大きさの範囲、および荷役用パレットの下面から支持面部迄の段差を調整して設けることで、荷役用パレットと載貨された貨物の安定性を向上させる。図面（図２）参照【０００８】  キャスターには固定型と旋回自在型があるが、この発明方式にに適しているのは旋回自在型であり、かつ負荷重を安定して支持するためには平板状の支持座を出来るだけ大きくして対処することが優位である。以上図面（図３）参照、
【発明の効果】
【０００９】  荷役用パレットの角隅部の下面側に支持面部を設け、キャスターの垂直軸支部を嵌合するための軸支穴を垂直に設けると共に、加えて該支持面部の複数の隅辺部に平板状の支持座を有する複数の移動用キャスターの支持座を挿入、着脱する側溝部を設け、目的に合った市販のキャスター等を支持面部に装着することによって、荷役用パレットとパレット上の貨物とを必要に応じて人力で容易に移動出来る極地的人力使用状態が現出できる。【００１０】  移動用のキャスターに平板状の支持座を設けることによって、より高荷重の貨物の複数の移動用キャスターへの分散、および移動走行時の走路の凹凸による変動荷重に耐えうる能力を向上し、かつ釘鋲で締結することなく支持面部に設けた側溝部と突起部で形成する支持座部に容易に着脱でキャスターを装着可能となし、人力移動用パレットを現出する効果を得る。【００１１】  ブレーキと旋回ロック機能を付加した移動用のキャスターを２輪以上採用することにより多少の傾斜や地震等の外力に対しても現状を維持する能力を得る効果がえられ、安全性が向上する。
【発明を実施するための最良の形態】
【００１２】  荷役用パレット１の角隅部の下面側に垂直支持軸１２を有するキャスター１１および平板状の支持座１４を有するキャスター１３のどちらも装着可能な支持面２部を設け、該支持面２部のやや中央に垂直支軸型のキャスター１１の垂直支持軸１２部を嵌合するための軸支孔５を垂直向きに設けてキャスター１１を装着する構造とし、目的の効果を得る。【００１３】  荷役用パレット１の支持面２部に、更に該支持面２部の隅辺部に複数設けた側溝３と突起４部に平板状の支持座１４を有する複数の移動用キャスター１３の支持座１４を挿入、着脱する構成により目的の効果を得る事が出来る。図面（図１）（図２）参照【００１４】  複数のキャスターに支持面２部の複数の隅辺部に設けた側溝３部に挿入するための平板状の支持座１４を装着して構成する専用のキャスター１３を得る。図面（図２）参照【００１５】  荷役用パレット１の角隅部の下面側に支持面２部を設け、支持面２部の形成寸法を、その一例としてＡ，Ｂ，Ｃ寸法とする事によりキャスター１３の支持座１４を安定した状態で支持しする事が出来ることで、キャスター１３の動作も安定して得られる。
図面（図２）（図３）参照【００１６】  荷役用パレット１の角隅部の上面側にフレコンバッグ等を開口した状態で支持し、その状態を維持する目的の複数の可撓性支柱１０を装着する挿入穴等を設けることにより、フレコンバッグ等の荷役パレット１としてより専用化することが可能となる。
図面（図１）参照
【図面の簡単な説明】
【００１７】
【図１】本発明の（請求項１）の実施例を示す正面図。
【図２】本発明の（請求項３）の実施例を示す正面図。
【図３】本発明の（請求項２）の実施例を示す平面図。
【符号の説明】
【００１８】    １        荷役用パレット
２        支持面
３        側溝
４        突起
５        軸支孔
１０        可撓性支柱
１１        キャスター
１２        支持軸
１３        キャスター
１４        支持座
【図１】
2014111471.tif 000003
【図２】
2014111471.tif 000004
【図３】
2014111471.tif 000005